(57)【要約】【課題】運搬中に物品が位置ずれすることがない物品用トレイを提供する。【解決手段】一端部に開口１Ｋが形成された口部１Ａを有し、かつ、他端部に開口１Ｋの内径１Ｎよりも大きな外径１Ｇの底部側側壁１Ｄを有する複数の物品１を複数段積み重ねる際に用いる物品用トレイであって、シートを成形して板状に形成された本体３の上面及び下面のうちの一方の面側に、物品１の底部側側壁１Ｄの近傍に位置して水平方向における物品１の位置決めを行うための第１位置決め部４を備え、本体３の上面及び下面のうちの他方の面側に、物品１の開口１Ｋ内に位置して水平方向における物品１の位置決めを行うための第２位置決め部５を備えている。【選択図】  図３
0003197759.tif 000002
【実用新案登録請求の範囲】
【請求項１】
一端部に開口が形成された口部を有し、かつ、他端部に前記開口の内径よりも大きな外径の底部側側壁を有する複数の物品を複数段積み重ねる際に用いる物品用トレイであって、
シートを成形して板状に形成された本体の上面及び下面のうちの一方の面側に、前記物品の底部側側壁の近傍に位置して水平方向における該物品の位置決めを行うための第１位置決め部を備え、前記本体の上面及び下面のうちの他方の面側に、前記物品の開口内に位置して水平方向における該物品の位置決めを行うための第２位置決め部を備えていることを特徴とする物品用トレイ。
【請求項２】
前記開口が下向きとなった下向き姿勢の複数の物品を複数段積み重ねるように構成されており、前記第１位置決め部が、下段に位置する下向き姿勢の物品の底部側側壁の近傍に前記本体から下方へ突出する複数の突出部から構成され、前記第２位置決め部が、上段に位置する下向き姿勢の物品の開口に入り込むように前記本体から上方へ突出する環状の凸部から構成されていることを特徴とする請求項１に記載の物品用トレイ。
【請求項３】
前記物品が、有底円筒状でなり、前記複数の突出部が、前記物品の底部側側壁の外面との間に僅かな隙間が発生する位置に配置され、前記凸部が、前記物品の開口の内径よりも僅かに小さな外径を有する上方視において円形の凸部から構成されていることを特徴とする請求項２に記載の物品用トレイ。
【請求項４】
前記開口が下向きとなった下向き姿勢の複数の物品を複数段積み重ねるように構成されており、前記第１位置決め部が、下段に位置する下向き姿勢の物品の底部側側壁を囲うように前記本体から上方へ突出して内側に環状の凹部を形成する第１凸部から構成され、前記第２位置決め部が、前記第１凸部の上端における外縁よりも内側から上方へ突出して上段に位置する下向き姿勢の物品の開口に入り込む環状の第２凸部から構成されていることを特徴とする請求項１に記載の物品用トレイ。
【請求項５】
前記物品が、有底円筒状でなり、前記第１凸部が、前記物品の底部側側壁の外径よりも僅かに大きな内径を有する下方視において円形の凹部から構成され、前記第２凸部が、前記物品の開口の内径よりも僅かに小さな外径を有する上方視において円形の凸部から構成されていることを特徴とする請求項４に記載の物品用トレイ。
【考案の詳細な説明】
【技術分野】
【０００１】
本考案は、一端部に開口が形成された口部を有し、かつ、他端部に前記開口の内径よりも大きな外径の底部側側壁を有する複数の物品を複数段積み重ねる際に用いる物品用トレイに関する。
【背景技術】
【０００２】
従来から、多数の物品を箱内に上下方向に複数段積み重ねて収容し、多数の物品を収容した箱を運搬することが行われている。そして、多数の物品を箱内に例えば２段収容する際には、箱の底と一段目の物品との間や、一段目の物品と二段目の物品との間を仕切るための物品用トレイが用いられる。この物品用トレイとしては、開口が下向きとなった下向き姿勢の物品の口部を嵌合可能な窪みを縦横に所定間隔を置いて多数形成したものが既に提案されている（例えば、特許文献１）。
【先行技術文献】
【特許文献】
【０００３】
【特許文献１】特開２００１−１８０６３６号公報
【考案の概要】
【考案が解決しようとする課題】
【０００４】
上記構成の物品用トレイは、物品の口部が窪みに嵌合されているため、運搬中に物品の口部が移動することを阻止することができるものの、物品の底部（上端部）がフリーな状態であるため、運搬中に物品の底部（上端部）が物品用トレイに対して不測に位置ずれしてしまうことがあり、早期改善が望まれていた。
【０００５】
そこで、本考案は、かかる事情に鑑みてなされたもので、運搬中に物品が位置ずれすることがない物品用トレイを提供することを課題とする。
【課題を解決するための手段】
【０００６】
本考案に係る物品用トレイは、一端部に開口が形成された口部を有し、かつ、他端部に前記開口の内径よりも大きな外径の底部側側壁を有する複数の物品を複数段積み重ねる際に用いる物品用トレイであって、シートを成形して板状に形成された本体の上面及び下面のうちの一方の面側に、前記物品の底部側側壁の近傍に位置して水平方向における該物品の位置決めを行うための第１位置決め部を備え、前記本体の上面及び下面のうちの他方の面側に、前記物品の開口内に位置して水平方向における該物品の位置決めを行うための第２位置決め部を備えていることを特徴としている。
【０００７】
本考案のように、物品の底部側が底部側側壁の近傍に位置する第１位置決め部で不測に移動しないように位置決めされ、物品の開口側が開口内に位置する第２位置決め部で不測に移動しないように位置決めされる。従って、物品用トレイで仕切られて複数の物品を複数段積み重ねて運搬する際に、物品が水平方向に移動して物品用トレイに対して位置ずれすることがない。
【０００８】
また、本考案に係る物品用トレイは、前記開口が下向きとなった下向き姿勢の複数の物品を複数段積み重ねるように構成されており、前記第１位置決め部が、下段に位置する下向き姿勢の物品の底部側側壁の近傍に前記本体から下方へ突出する複数の突出部から構成され、前記第２位置決め部が、上段に位置する下向き姿勢の物品の開口に入り込むように前記本体から上方へ突出する環状の凸部から構成されていてもよい。
【０００９】
上記のように、第１位置決め部を、下段に位置する下向き姿勢の物品の底部側側壁の近傍の複数の突出部から構成することによって、物品用トレイの保形強度を高めることができる。また、第２位置決め部を、上段に位置する下向き姿勢の物品の開口に入り込む環状の凸部から構成することによって、物品用トレイの保形強度を高めることができる。
【００１０】
また、本考案に係る物品用トレイは、前記物品が、有底円筒状でなり、前記複数の突出部が、前記物品の底部側側壁の外面との間に僅かな隙間が発生する位置に配置され、前記凸部が、前記物品の開口の内径よりも僅かに小さな外径を有する上方視において円形の凸部から構成されていてもよい。
【００１１】
上記のように、複数の突出部が、物品の底部側側壁の外面との間に僅かな隙間が発生する位置に配置され、凸部が、物品の開口の内径よりも僅かに小さな外径を有する上方視において円形の凸部から構成されているので、例えば、物品の底部側側壁に物品用トレイを嵌合させる又は物品の底部側側壁に嵌合している物品用トレイを取り外す構成、あるいは物品用トレイに物品を嵌合させる又は物品用トレイから嵌合している物品を取り出す構成の場合に、物品の底部側側壁の外面と複数の突出部とが擦れ合う、あるいは物品の開口の内面と凸部の外周面とが擦れ合って、物品に擦り傷が発生するようなトラブルを本考案は回避することができる。
【００１２】
また、本考案に係る物品用トレイは、前記開口が下向きとなった下向き姿勢の複数の物品を複数段積み重ねるように構成されており、前記第１位置決め部が、下段に位置する下向き姿勢の物品の底部側側壁を囲うように前記本体から上方へ突出して内側に環状の凹部を形成する第１凸部から構成され、前記第２位置決め部が、前記第１凸部の上端における外縁よりも内側から上方へ突出して上段に位置する下向き姿勢の物品の開口に入り込む環状の第２凸部から構成されていてもよい。
【００１３】
上記のように、第１位置決め部を、下段に位置する下向き姿勢の物品の底部側側壁を囲うように上方へ突出する第１凸部から構成し、第２位置決め部を、上段に位置する下向き姿勢の物品の開口に入り込むように第１凸部の上端における外縁よりも内側から上方へ突出する環状の第２凸部から構成することによって、物品用トレイに２つの段差部を有することで、物品用トレイの保形強度を高めることができ、その分厚みの薄い物品用トレイを構成することができる。
【００１４】
また、本考案に係る物品用トレイは、前記物品が、有底円筒状でなり、前記第１凸部が、前記物品の底部側側壁の外径よりも僅かに大きな内径を有する下方視において円形の凹部から構成され、前記第２凸部が、前記物品の開口の内径よりも僅かに小さな外径を有する上方視において円形の凸部から構成されていてもよい。
【００１５】
上記のように、第１凹部が、第１凸部が、物品の底部側側壁の外径よりも僅かに大きな内径を有する下方視において円形の凹部から構成され、第２凸部が、前記物品の開口の内径よりも僅かに小さな外径を有する上方視において円形の凸部から構成されているので、例えば、物品の底部側側壁に物品用トレイを嵌合させる又は物品の底部側側壁に嵌合している物品用トレイを取り外す構成、あるいは物品用トレイに物品を嵌合させる又は物品用トレイから嵌合している物品を取り出す構成の場合に、物品の底部側側壁の外面と凹部の内周面とが擦れ合う、あるいは物品の開口の内面と第２凸部の外周面とが擦れ合って、物品に擦り傷が発生するようなトラブルを本考案は回避することができる。
【考案の効果】
【００１６】
以上の如く、本考案によれば、物品の底部側が底部側側壁の近傍に位置する第１位置決め部と物品の開口側が開口内に位置する第２位置決め部とを備えているので、運搬中に物品が位置ずれすることがない物品用トレイを提供することができる。
【図面の簡単な説明】
【００１７】
【図１】本考案に係る第１物品用トレイの斜視図である。
【図２】同第１物品用トレイの平面図である。
【図３】同第１物品用トレイにて物品を上下２段積み重ねた状態を示す縦断面図である。
【図４】本考案に係る第２物品用トレイの斜視図である。
【図５】同第２物品用トレイの平面図である。
【図６】同第２物品用トレイにて物品を上下２段積み重ねた状態を示す縦断面図である。
【考案を実施するための形態】
【００１８】
以下、本考案に係る第1実施形態の物品用トレイについて、図面に基づいて説明する。
【００１９】
図１及び図２に、図３に示す複数の物品１を複数段積み重ねる際に用いる物品用トレイ２を示している。ここでは、一段に縦５列及び横６列の合計３０個の物品１を収容可能な物品用トレイ２を示しているが、物品１の個数は、物品１の大きさ等に応じて任意の複数の個数に設定することができる。物品１としては、化粧品や薬品あるいは食品を等の物を入れる容器として説明するが、部品や装飾物等であってもよい。
【００２０】
物品１は、図３に示すように、上下方向一端部に円形の開口１Ｋ（図３では下向きになっている）が形成された口部１Ａと、他端部に円形の底部１Ｂ（図３では上端に位置している）と、口部１Ａと底部１Ｂとを繋ぐ側壁部１Ｃとを備えている。側壁部１Ｃは、底部１Ｂに向かうほど厚みが厚くなるように外面が底部１Ｂ側ほど外側に位置するテーパ面に形成されている。また、側壁部１Ｃにおける底部側側壁１Ｄが、開口１Ｋの内径１Ｎよりも大きな外径１Ｇを有している。また、口部１Ａの厚みは、側壁部１Ｃの厚みよりも薄く設定されている。口部１Ａには、図示していない蓋が装着される。そして、物品１を物品用トレイ２に収容する場合には、前述したように、物品１の開口１Ｋが下方を向いた下向き姿勢とすることによって、物品１の開口１Ｋから物品１内に塵等が入り込むことを阻止することができる利点がある。
【００２１】
物品用トレイ２は、シートを成形して平面視において外形が略長方形状に構成されており、フラットな平板状の本体３と、本体３の下面から下方へ突出する複数（図２では２０個）の突出部４と、本体３の上面から上方に突出する複数（図２では３０個）の環状の凸部５と、外周に位置する外周縁部６とを備えている。このように構成された多数の物品用トレイ２は、不要時に上下方向で積み重ねることができるようになっている。
【００２２】
シートとしては、各種の合成樹脂シートや各種の合成樹脂発泡シートを用いることができる。
【００２３】
突出部４は、物品用トレイ２の外周縁部６と本体３との間に位置し、かつ、下向きに突出する環状の第１突出部４Ａと、４個の凸部５で囲まれる部分に下向きに突出する略菱形形状の２０個の第２突出部４Ｂとを備えている。従って、底部側側壁１Ｄの近傍に位置する第１突出部４Ａと２０個の第２突出部４Ｂとで、物品１の底部１Ｂ側が、物品用トレイ２に対して水平方向に不測に移動しないように位置決めしている（突出部４が第１位置決め部を構成する）。図３に示すように、物品１の底部側側壁１Ｄの外面とこれに対向する第１突出部４Ａの外面との間、及び物品１の底部側側壁１Ｄの外面とこれに対向する第２突出部４Ｂの外面との間のそれぞれに、僅かな隙間が発生するように、第１突出部４Ａ及び第２突出部４Ｂを配置しているので、例えば、物品１の底部側側壁１Ｄに物品用トレイを嵌合させる又は物品の底部側側壁１Ｄに嵌合している物品用トレイを取り外す構成の場合に、物品１の底部側側壁１Ｄの外面と第１突出部４Ａ及び第２突出部４Ｂとが擦れ合って、物品に擦り傷が発生するようなトラブルを本考案は回避することができる。ここでいう僅かな隙間は、１ｍｍ以上で２ｍｍ以内の範囲である。また、これら第１突出部４Ａと２０個の第２突出部４Ｂとで、物品用トレイ２の保形強度を高めることができ、その分、物品用トレイ２の薄型化を図れる。
【００２４】
各凸部５は、平面視円形に形成され、物品１の開口１Ｋ内に入り込むように、物品１の開口１Ｋの内径１Ｎよりも僅かに小さな外径５Ｇを有する凸部に構成されている。ここでいう僅かな寸法差は、物品１の開口１Ｋの中心と凸部５の中心とを一致させた状態において開口１Ｋの内周面と凸部５の外周面との間が１ｍｍ以上で２ｍｍ以内となる寸法差をいう。従って、凸部５は、物品１の開口１Ｋ内に位置することで、物品１の口部１Ａ側が水平方向で不測に移動しないように位置決めしている（凸部５が第２位置決め部を構成する）。具体的には、各凸部５は、上方に位置する平面視が円形でフラットな板状に構成された円板部５Ａと、円板部５Ａの外周縁から下方に垂下して本体３に連結される外周側壁５Ｂとを有している。外周側壁５Ｂは、下方側ほど外側に位置するよう外側に凸となる湾曲部から構成されている。また、３０個の凸部５を物品用トレイ２の縦横に所定間隔を置いて形成することによって、物品用トレイ２の保形強度を高めることができ、その分、物品用トレイ２の薄型化を図れる。
【００２５】
外周縁部６は、図３に示すように、本体３から上方に平面視で環状に略門型状に突出する突起部本体６Ａと、突起部本体６Ａの外側部の下端から下方に延びるスカート部６Ｂとを備えている。また、図１及び図２に示すように、外周縁部６を構成する４辺のうちの各辺には、長さ方向中央部が内側に凹んだ凹部６Ｓを備えており、箱７に入っている物品用トレイ２を箱７から取り出す際に、凹部６Ｓに指を引っ掛けることができるので、物品用トレイ２を取り出し易くなっているが、凹部６Ｓは無くてもよい。箱７は、図３に示すように、平面視が長方形状の底板部７Ａと、底板部７Ａの４辺から上方に立ち上げられる側壁部７Ｂと、上端の開口を閉じる蓋部７Ｃとから構成されている。
【００２６】
このように構成された物品用トレイ２を用いて物品１を箱７内に収容する手順について説明する。ここでは、物品１を上下２段積み重ねる場合を説明する。
【００２７】
図３に示すように、箱７の底板部７Ａの上に物品用トレイ２を載置する。その物品用トレイ２の上に、１段目に収容すべき個数（ここでは３０個）の物品１を開口１Ｋが下向きとなる下向き姿勢で載置する。このとき、物品１の開口１Ｋ内に凸部（第２位置決め部）５が位置するように（入り込むように）物品１を配置することによって、水平方向における物品１の位置決めが完了する。しかも、凸部５が、物品１の開口１Ｋの内径１Ｎよりも小さな外径５Ｇを有する平面視円形の凸部から構成されているので、物品用トレイ２の凸部５に物品１の開口１Ｋを位置させる際や物品用トレイ２の凸部５から物品１を取り出す際に、物品１の開口１Ｋの内面が凸部５の外周面と擦れ合って、物品１の開口１Ｋ（口部１Ａ）の内面に擦り傷が発生することを回避することができる。
【００２８】
次に、１段目の物品１と２段目に載置する物品１との間を仕切るために１段目の物品１の上に物品用トレイ２を被せる（載置する）。このとき、突出部４（第１位置決め部）が、物品１の底部側側壁１Ｄの近傍（物品１の底部側側壁１Ｄの外面とこれに対向する第１突出部４Ａの外面との間、及び物品１の底部側側壁１Ｄの外面とこれに対向する第２突出部４Ｂの外面との間のそれぞれに、僅かな隙間が発生するよう）に位置しているので、物品用トレイ２を物品１の底部１Ｂに被せる、物品１に被せた物品用トレイ２を取り外す際に、物品１の底部側側壁１Ｄの外面と突出部４とが擦れ合うことによって、物品１に擦り傷が発生することを回避することができる。続いて、物品用トレイ２の上面に、２段目に収容すべき全ての個数（ここでは３０個）の物品１を前記同じように開口１Ｋが下向きとなる下向き姿勢で載置する。最後に、２段目の物品１の上に物品用トレイ２を被せた（載置した）後、箱７の蓋部７Ｃをしてから、６０個の物品１が入った箱７を所定箇所まで搬送することになる。ここでは、上段と下段とに同数の物品１を積み重ねている場合を示しているが、上段と下段とに異なる個数の物品１を積み重ねてもよい。
【００２９】
このように積み重ねられた物品１は、物品１の底部１Ｂ側が底部側側壁１Ｄの近傍に位置する第１位置決め部４で不測に移動しないように位置決めされ、物品１の開口１Ｋ側が開口１Ｋ内に位置する第２位置決め部５で不測に移動しないように位置決めされる。従って、物品用トレイ２で仕切られて複数の物品１を複数段積み重ねて運搬する際に、物品１が物品用トレイ２に対して水平方向に移動して位置ずれすることがない。
【００３０】
次に、本考案に係る第２実施形態の物品用トレイ１０について、図面に基づいて説明する。
【００３１】
図３及び図４に、図５に示す複数の物品１を複数段積み重ねる際に用いる物品用トレイ１０を示している。ここでは、一段に縦４列及び横３列の合計１２個の物品１を収容可能な物品用トレイ２を示しているが、物品１の個数は、物品の大きさに応じて任意の複数の個数に設定することができる。
【００３２】
物品１は、前述した物品（図３に示した物品）と同一であるため、同一の符号を付すとともに、説明を省略する。
【００３３】
物品用トレイ１０は、シートを成形して平面視において外形が略長方形状に構成されており、フラットな平板状の本体１１と、本体１１から上方へ突出して内側に円環状の凹部を形成する複数（図５では１２個）の円環状の第１凸部１２と、第１凸部１２の上端における外縁よりも内側から上方へ突出する第２凸部１３と、外周に位置する外周縁部１４とを備えている。このように構成された多数の物品用トレイ１０は、不要時に上下方向で積み重ねることができるようになっている。
【００３４】
シートとしては、前述同様に、各種の合成樹脂シートや各種の合成樹脂発泡シートを用いることができる。
【００３５】
各第１凸部１２は、本体１１の内縁から上方に突出する環状の側壁１２Ａと、側壁１２Ａの上端から径方向に延びる板状で輪っか状の上壁１２Ｂとから形成されている。側壁１２Ａは、下方側ほど外側に位置するよう外側に凸となる湾曲部から構成されている。従って、物品１の底部側側壁１Ｄは、第１凸部１２の内側に形成される凹部１２Ｓ内に位置することで、水平方向に不測に移動しないように位置決めしている（第１位置決め部）。また、第１凸部１２を形成することで、物品用トレイ１０の保形強度を高めることができ、その分、物品用トレイ１０の薄型化を図れる。凹部１２Ｓは、物品１の底部側側壁１Ｄの外径１Ｇよりも僅かに大きな内径を有している。ここでいう僅かな寸法差は、物品１の中心と凹部１２Ｓの中心とを一致させた状態において物品１の底部側側壁１Ｄの外周面と凹部１２Ｓの内周面との間が１ｍｍ以上で２ｍｍ以内となる寸法差をいう。従って、物品用トレイ１０を物品１の底部１Ｂに被せる、物品１に被せた物品用トレイ１０を取り外す際に、物品１の底部側側壁１Ｄの外面と第１凸部１２の側壁１２Ａとが擦れ合うことによって、物品１の底部側側壁１Ｄの外面に擦り傷が発生することを回避することができる。
【００３６】
第２凸部１３は、第１凸部１２の上壁１２Ｂの内周縁から上方へ突出する環状の側壁１３Ａと、側壁１３Ａの上端から径方向に延びて平面視円形に形成された上壁１３Ｂとから形成されている。側壁１３Ａは、下方側ほど外側に位置するよう外側に凸となる湾曲部から構成されている。また、側壁１３Ａは、物品１の開口１Ｋに入り込むように物品１の開口１Ｋの内径１Ｎよりも僅かに小さな外径１３Ｇを有するように構成されている。ここでいう僅かな寸法差は、物品１の中心と側壁１３Ａの中心とを一致させた状態において物品１の開口１Ｋの内周面と側壁１３Ａの外周面との間が１ｍｍ以上で２ｍｍ以内となる寸法差をいう。従って、第２凸部１３は、物品１の開口１Ｋに位置することで、物品１の口部１Ａ側が水平方向で不測に移動しないように位置決めしている（第２位置決め部）。また、１２個の第１凸部１２及び第２凸部１３を物品用トレイ１０の縦横に所定間隔を置いて形成することによって、物品用トレイ１０の保形強度を高めることができ、その分、物品用トレイ１０の薄型化を図れる。特に、第１凸部１２及び第２凸部１３を形成することによって、図６に示すように、２つの段部Ｄ１，Ｄ２を上下方向において形成することによって、物品用トレイ１０の保形強度をより一層高めることができる。
【００３７】
外周縁部１４は、本体１１の外周縁から上方へ延びる環状の縦板部から形成されている。この縦板部１４は、上方側ほど外側に位置する傾斜姿勢になっている。また、図４及び図５に示すように、外周縁部１４を構成する４辺のうちの２つの短辺には、長さ方向中央部が内側に凹んだ凹部１４Ｓを備えており、箱７に入っている物品用トレイ１０を箱７から取り出す際に、凹部１４Ｓに指を引っ掛けることができるので、物品用トレイ１０を取り出し易くなっているが、凹部１４Ｓは無くてもよい。
【００３８】
図４及び図５に示すように、本体１１の各長辺側の外周縁部に上方へ突出する３つの第１突起（合計６個）１５を形成し、本体１１における４個の第１凸部１２で囲まれる部分に上方に突出する合計６個の第２突起１６を形成している。
【００３９】
このように構成された物品用トレイ１０を用いて物品１を箱７内に収容する手順について説明する。ここでは、物品１を上下２段積み重ねる場合を説明する。
【００４０】
図３に示すように、箱７の底板部７Ａの上に物品用トレイ１０を載置する。その物品用トレイ１０の上に、１段目に収容すべき個数（ここでは１２個）の物品１を開口１Ｋが下向きとなる下向き姿勢で載置する。このとき、物品１の開口１Ｋ内に第２凸部１３が位置するように物品１を配置することによって、水平方向における物品１の位置決めが完了する。しかも、第２凸部１３が、物品１の開口１Ｋの内径よりも小さな外径１３Ｇを有する平面視円形の凸部から構成されているので、物品トレイ１０に物品１を位置させる、又は物品トレイ１０から物品１を取り出す際に、物品１の開口１Ｋ（口部１Ａ）の内面が第２凸部１３の外周面と擦れ合って、物品１の開口１Ｋ（口部１Ａの内面）に擦り傷が発生することを回避することができる。
【００４１】
次に、１段目の物品１と２段目に載置する物品１との間を仕切るために１段目の物品１の上に物品用トレイ１０を被せる（載置する）。このとき、第１凸部１２が、物品１の底部側側壁１Ｄの近傍に位置しているので、物品用トレイ１０を物品１の底部１Ｂに被せる、又は物品１の底部１Ｂに被せた物品用トレイ１０を取り外す際に、物品１の底部側側壁１Ｄの外面と第１凸部１２の内面とが擦れ合って、物品１に擦り傷が発生することを回避することができる。続いて、物品用トレイ１０の上面に、２段目に収容すべき全ての個数（ここでは１２個）の物品１を前記同じように開口１Ｋが下向きとなる下向き姿勢で載置する。最後に、２段目の物品１の上に物品用トレイ１０を被せた（載置した）後、箱７の蓋部７Ｃをし、１２個の物品１が収容された箱７を所定箇所まで搬送することになる。ここでは、上段と下段とに同数の物品１を積み重ねている場合を示しているが、上段と下段とに異なる個数の物品１を積み重ねてもよい。
【００４２】
このように積み重ねられた物品１は、物品１の底部１Ｂ側が底部側側壁１Ｄの近傍に位置する第１位置決め部１２で不測に移動しないように位置決めされ、物品１の開口１Ｋ側が開口１Ｋ内に位置する第２位置決め部１３で不測に移動しないように位置決めされる。従って、物品用トレイ１０で仕切られて複数の物品１を複数段積み重ねて運搬する際に、物品１が物品用トレイ１０に対して水平方向に移動して位置ずれすることがない。
【００４３】
尚、本考案は、前記実施形態に限定されるものではなく、本考案の要旨を逸脱しない範囲で種々の変更が可能である。
【００４４】
前記実施形態では、平面視が長方形状の物品用トレイを示したが、正方形、多角形、円形、楕円形等、どのような形状の物品用トレイであってもよい。
【００４５】
また、前記実施形態では、円形の開口１Ｋと円形の底部１Ｂを有する物品１を収容する物品用トレイ２，１０を示したが、開口又は底部が角形又は多角形あるいは楕円形の物品１を収納する物品用トレイであってもよい。
【００４６】
また、前記実施形態では、開口１Ｋが下向きとなった下向き姿勢の物品１を複数段積み重ねる場合を示したが、開口１Ｋが上向きとなった上向き姿勢の物品を複数段積み重ねてもよい。
【符号の説明】
【００４７】
１…物品、１Ａ…口部、１Ｂ…底部、１Ｃ…側壁部、１Ｄ…底部側側壁、１Ｇ…外径、１Ｋ…開口、１Ｎ…内径、２…物品用トレイ、３…本体、４…突出部（第１位置決め部）、４Ａ…第１突出部、４Ｂ…第２突出部、５…凸部（第２位置決め部）、５Ａ…円板部、５Ｂ…外周側壁、５Ｇ…外径、６…外周縁部、６Ａ…突起部本体、６Ｂ…スカート部、６Ｓ…凹部、７…箱、７Ａ…底板部、７Ｂ…側壁部、７Ｃ…蓋部、１０…物品用トレイ、１１…本体、１２…第１凸部（第１位置決め部）、１２Ａ…側壁、１２Ｂ…上壁、１２Ｓ…凹部、１３…第２凸部（第２位置決め部）、１３Ａ…側壁、１３Ｂ…上壁、１３Ｇ…外径、１４…外周縁部（縦板部）、１４Ｓ…凹部、１５…第１突起、１６…第２突起、Ｄ１，Ｄ２…段部
【図１】
0003197759.tif 000003
【図２】
0003197759.tif 000004
【図３】
0003197759.tif 000005
【図４】
0003197759.tif 000006
【図５】
0003197759.tif 000007
【図６】
0003197759.tif 000008